(57)【要約】【課題】ストラップとソールの新たな連結構造を提供する。【解決手段】ソール１１０とストラップ１２０を有する履物１００は、ストラップの左右両端部１２３がソール１１０の左右側面１１７にそれぞれ当てられている。ソールは、左右側面の一部を構成する壁部１４５と、壁部（１４５）を介して左右側面に対向する空所１４１が形成されている。ストラップの左右両端部は、ストラップの左右両端部と壁部を貫通する留め具によって、ストラップの左右両端部を壁部に圧接させた状態で固定されている。【選択図】図２
2018099145.tif 000002
【特許請求の範囲】
【請求項１】
ソール（１１０）とストラップ（１２０）を有する履物（１００）であって、
前記ストラップの左右両端部（１２３）は前記ソール（１１０）の左右側面（１１７）にそれぞれ当てられており、
前記ソール（１１０）は、前記左右側面（１１７）の一部を構成する壁部（１４５）と、前記壁部（１４５）を介して前記左右側面（１１７）に対向する空所（１４１）が形成されており、
前記ストラップ（１２０）の左右両端部（１２３）は、前記ストラップ（１２０）の左右両端部（１２３）と前記壁部（１４５）を貫通する留め具によって、前記ストラップ（１２０）の左右両端部（１２３）を前記壁部（１４５）に圧接させた状態で固定されている、履物（１００）。
【請求項２】
前記留め具は、前記ストラップ（１２０）の左右両端部（１２３）と前記壁部（１４５）を貫通する軸部（１５２）と、前記ストラップ（１２０）の左右両端部（１２３）と前記壁部（１４５）にそれらの外側に位置する拡大頭部（１５５，１５６）を有し、前記拡大頭部（１５５，１５６）が前記ストラップ（１２０）の左右両端部（１２３）と前記壁部（１４５）に圧接されている、請求項１の履物（１００）。
【請求項３】
前記ソール（１１０）は、
使用時にユーザの足底に接する上層（１１１）と地面又は床に接する下層（１１３）、及び前記上層（１１１）と前記下層（１１３）との間に配置された中間層（１１２）を備えており、
前記上層（１１１）と前記下層（１１３）が前記中間層（１１２）に連結されている請求項１又は２の履物。
【請求項４】
前記空所（１４１）は、前記中間層（１１２）の上面に、又は下面に、若しくは上面と下面を貫通して、形成されている、請求項３の履物。
【請求項５】
前記中間層（１１２）は中間層上部（１１４）と中間層下部（１１５）を備えており、
前記中間層上部（１１４）と前記中間層下部（１１５）は接着されており、
前記空所（１４１）は、前記中間層上部（１１４）の上面に又は下面に若しくは上面と下面を貫通して、又は、前記中間層下部（１１５）の上面に又は下面に若しくは上面と下面を貫通して、形成されている、請求項３の履物。
【請求項６】
前記中間層（１１２）は、中間層上部（１１４）、中間層中間部（１１６）、及び中間層下部（１１５）を備えており、
前記中間層上部（１１４）と前記中間層中間部（１１６）は接着されており、
前記中間層中間部（１１６）と前記中間層下部（１１５）は接着されており、
前記空所は、前記中間層上部（１１４）の上面に又は下面に若しくは上面と下面を貫通して、又は、前記中間層中間部（１１６）の上面に又は下面に若しくは上面と下面を貫通して、若しくは、前記中間層下部（１１５）の上面に又は下面に若しくは上面と下面を貫通して、形成されている、請求項３の履物。
【請求項７】
前記ソール（１１０）は、
使用時にユーザの足底に接する上層（１１１）と地面又は床に接する下層（１１２，１１３）を備えており、
前記上層（１１１）と前記下層（１１２，１１３）が連結されている請求項１又は２の履物。
【請求項８】
前記空所（１４１）は前記下層（１１２，１１３）の上面に、又は下面に、若しくは上面と下面を貫通して、形成されている、請求項７の履物。
【請求項９】
前記中間層は、ＥＶＡ樹脂で構成されている、請求項１〜８のいずれかの履物。
【請求項１０】
前記中間層は、コルクで構成されている、請求項１〜９のいずれかの履物。
【請求項１１】
前記空所には充填物が充填されている、請求項１〜１０のいずれかの履物。
【発明の詳細な説明】
【技術分野】
【０００１】
本発明は履物に関する。
【背景技術】
【０００２】
ソールとストラップを備えた履物（例えば、草履やサンダル）がある。このような履物では、ストラップは種々の方法によってソールに固定される。例えば、ストラップの左右両端をソールに縫い付ける方法や、ソールに形成した穴にストラップの左右両端をはめ込む方法がある。
【先行技術文献】
【特許文献】
【０００３】
【特許文献１】特許第５９０４２６２号公報
【発明の概要】
【発明が解決しようとする課題】
【０００４】
しかし、ストラップとソールの連結部は歩行時に最も大きな力がかかる部分である。そのために、ストラップとソールとの連結が弱いと、ストラップがソールから外れてしまう。また、ソールが比較的柔らかい材料（例えば、エチレン酢酸ビニル共重合体やコルク）で作られている場合、ソールのストラップ連結部分が破れてしまうことがある。
【課題を解決するための手段】
【０００５】
本発明は、このような問題を解消するとともに、ストラップとソールの新たな連結構造を提供するもので、一つの実施形態の履物（１００）は、
ソール（１１０）とストラップ（１２０）を有する履物（１００）であって、
前記ストラップの左右両端部（１２３）は前記ソール（１１０）の左右側面（１１７）にそれぞれ当てられており、
前記ソール（１１０）は、前記左右側面（１１７）の一部を構成する壁部（１４５）と、前記壁部（１４５）を介して前記左右側面（１１７）に対向する空所（１４１）が形成されており、
前記ストラップ（１２０）の左右両端部（１２３）は、前記ストラップ（１２０）の左右両端部（１２３）と前記壁部（１４５）を貫通する留め具によって、前記ストラップ（１２０）の左右両端部（１２３）を前記壁部（１４５）に圧接させた状態で固定されている。
【発明の効果】
【０００６】
このような構成の履物によれば、ストラップはソールにしっかりと連結され、たとえソールが比較的柔らかい材料で形成されていても、ストラップがソールから外れることがない。
【図面の簡単な説明】
【０００７】
【図１】実施形態１に係る履物の斜視図。
【図２】図１に示す履物の分解斜視図。
【図３】図１の履物においてストラップをソールに連結するリベットの斜視図。
【図４】図１の履物においてストラップをソールに連結する機構を示す断面図。
【図５】実施形態２に係る履物の斜視図。
【図６】実施形態３に係る履物の斜視図。
【図７】実施形態４に係る履物の斜視図。
【図８】実施形態５に係る履物の斜視図。
【図９】実施形態６に係る履物の斜視図。
【図１０】その他の実施形態に係る履物の斜視図。
【図１１】その他の実施形態に係る履物の斜視図。
【発明を実施するための形態】
【０００８】
以下、添付図面を参照して本発明の実施形態を説明する。
【実施形態１】
【０００９】
図１は実施形態１の履物１００を示す。図示する履物１００は、草履又はサンダルと呼ばれるもので、使用者の足底（足の裏）に接するソール１１０と使用者の足の甲（足の表）に接するストラップ（鼻緒を含む。）１２０を備えている。
【００１０】
実施形態１において、ソール１１０は、上から下に向かって順番に積層された３つの層、すなわち上層１１１、中間層１１２、及び下層１１３を有する。使用状態で、上層１１１はユーザの足底に接する部分で、下層１１３は地面又は床に接する部分である。図２に示すように、実施形態１において、中間層１１２は、中間層上部１１４と、中間層下部１１５と、中間層上部１１４と中間層下部１１５の間に配置された中間層中間部１１６を有する。実施形態１において、中間層中間部１１６を除くその他の部分（上層１１１、下層１１３、中間層上部１１４、中間層下部１１５）はソール１１０の前端から後端までほぼその全長に亘って存在しているが、中間層中間部１１６はソール１１０の略中央から後端までの限られた領域にのみ存在している。ただし、中間層中間部１１６も、他の部分と同様に、ソール１１０の前端から後端までほぼその全長に亘って配置してもよい。
【００１１】
実施形態１では、中間層中間部１１６はその前端から後端に向かって徐々に厚みが大きくなっているのに対し、その他の部分（上層１１１、下層１１３、中間層上部１１４、中間層下部１１５）はそれぞれの前端から後端までほぼ一様な厚みを有する。上層１１１、下層１１３、中間層上部１１４、中間層下部１１５、中間層中間部１１６をすべて同じ厚さにしてもよいし、少なくとも１つの層又は少なくとも一つの層の一部分を、後方に向かって次第に厚みが大きくなるようにしてもよい。
【００１２】
ソール１１０を構成するそれぞれの層又は部分は適当な材料で作ることができる。例えば、上層１１１は、足底に馴染みが良く、透湿性、排湿性に優れた材料を用いるのが好ましい。下層１１３は、耐摩耗性に優れた材料を用いるのが好ましい。中間層１１２の３部材（中間層上部１１４、中間層下部１１５、中間層中間部１１６）は、同じ材料で形成してもよいし、異なる材料で形成してもよいし、中間層上部１１４と中間層下部１１５を同じ材料で形成する一方で中間層中間部１１６をそれよりも硬い又は柔らかい材料で形成してもよい。履物１００を軽くするとともに適当なクッション性を得るために、中間層１１２の各層にはＥＶＡ樹脂（エチレン酢酸ビニル共重合体）、コルクを用いることが好ましい。
【００１３】
上層１１１と中間層１１２の連結、中間層１１２と下層１１３の連結、及び中間層１１２を構成する３つの層の連結には接着材を用いることが好ましい。接着材だけでなく、一部（例えば、つま先部分、かかと部分）を縫い合わせてもよい。
【００１４】
実施形態１において、ストラップ１２０は、和装草履の鼻緒と前坪にそれぞれ相当する本体ストラップ部１２１と前ストラップ部１２２を有する。本体ストラップ部１２１は、ソール前後方向の略中間位置で該本体ストラップ部１２１の左右両端部１２３が左右ソール側面１１７に固定されており、その固定位置から斜め前方上方に向かってアーチ状に伸びている。前ストラップ部１２２は、一端が本体ストラップ部１２１の中央部１２４に結ばれており、他端がソール１１０の前穴１３０（後述する穴１３１，１３２，１３３）に挿入されてソール１１０に固定されている。前ストラップ部１２２とソール１１０の連結は後述する。
【００１５】
前ストラップ部１２２をソール１１０に固定するために、ソール１１０の前部には、上層１１１、中間層上部１１４、及び中間層下部１１５をそれぞれ貫通する穴１３１，１３２，１３３が形成されている。これらの穴１３１，１３２，１３３は、上層１１１、中間層上部１１２、及び中間層下部１１５を重ね合わせた状態で同軸上に重なって１つの穴１３０（図１参照）を形成するように配置されている。上層１１１の穴１３１と中間層上部１１４の穴１３２は略同一の径を有するが、中間層下部１１５の穴１３３は穴１３１，１３２よりも大きな内径を有する。このような構成において、前ストラップ部１２２の先端側は、上層１１１の穴１３１と中間層上部１１４の穴１３２を介して中間層下部１１５の穴１３３に通され、そこで図示しない留め具に連結される。
【００１６】
和装草履では一般的なことであるが、ソール下層１１３には、中間層下部１１５の穴１３３に対向する位置にＵ状の切り込み１３４によって囲まれた舌片部１３５が形成されており、ソール底面から舌片部１３５を曲げ起こすことによって中間層下部１１５の穴１３３を露出させ、そこで前ストラップ部１２２と留め具との連結、及び前ストラップ１２２の交換ができるようになっている。
【００１７】
本体ストラップ部１２１をソール１１０に連結する機構１４０（図１参照）について説明する。図２に示すように、実施形態１では、ソール中間層上部１１４に、その上面と下面を貫通する開口（空所）１４１が形成されている。開口１４１は、前後方向に伸びる左右の内壁面１４２と幅方向に伸びる前後の内壁面１４３によって囲まれた四角形の箱形をしており、左右の内壁面１４２とそれに対向する外周側面１４４との間に壁部１４５が形成されている。また、壁部１４５には、内壁面１４２から外周側面１４４まで伸びる複数の穴１４６が前後方向に等間隔に形成されている。
【００１８】
本体ストラップ部１２１の両端部１２３には、ソール中間層上部１１４の左右の壁部１４５に形成した複数の穴１４６に対応して、同じ数の穴１４７が形成されている。ストラップ取り付け時、本体ストラップ部１２１の穴１４７とソール中間層上部１１４の穴１４６を合わせ、穴１４７，１４６に適当な留め具を挿通して、本体ストラップ部１２１がソール中間層上部１１４に固定される。
【００１９】
留め具にはリベットを利用するのが好ましい。種々の形態のリベットが知られており、いずれのリベットも利用可能である。例えば、図３に示すブラインドリベット１５０を使用する場合、フランジ（１５６）付きリベットボディ１５１の軸部１５２を本体ストラップ部１２１の穴１４７と中間層上部１１４の穴１４６に挿通し、リベットボディ１５１に挿入されているマンドレル（シャフト）１５３を専用のリベッター（締め付け装置）〔図示せず〕で矢印１５４の方向に引っ張ることで、図４に示すように、軸部１５２の先端側（開口１４１内に突出している部分）を皿状に変形し、該皿状変形部（拡大頭部）１５５とフランジ（拡大頭部）１５６で壁部１４５と本体ストラップ部１２１を強く締め付ける。
【００２０】
リベットに代えて、ボルトとナットを留め具として採用してもよい。この形態では、ボルト（ねじ付軸部）を本体ストラップ部１２１の穴１４７から壁部１４５の穴１４６に挿通し、開口１４１内に露出したボルトの先端（ねじ部）にナットを螺合し、ボルト頭部（拡大頭部）とナット（拡大頭部）を本体ストラップ部１２１と壁部１４５にそれぞれ圧接するように締め付ける。
【００２１】
リベットやボルトの締め付け力を分散させる（すなわち、締め付け力を穴の近くに集中させない）ために、リベットの皿状変形部やフランジが当たる箇所、又はボルト頭部やナットが当たる箇所には、当て板（例えば、ワッシャ）を設けてもよい。
【００２２】
ソール１１０に対する本体ストラップ部１２１の取り付けは、中間層上部１１４に中間層中間部１１６を貼り付ける前又は後のいずれであってもよいし、中間層上部１１４に上層１１１を貼り付ける前又は後のいずれであってもよい。
【００２３】
前ストラップ部１２２は、上層１１１、中間層上部１１４、中間層中間部１１６、中間層下部１１５を接着した後、又はそれらに下層１１３を貼り付けた後、前ストラップ部１２２の先端側を穴１３０に挿通し、中間層下部１１５の穴１３３で留め具に連結する。
【００２４】
図９（ｂ）を参照して後に説明するように、中間層上部１１４の開口１４１は、中間層上部１１４と同じ材料又は異なる材料からなる充填部材を充填してもよい。
【００２５】
このように構成した履物１００によれば、本体ストラップ部１２１の両端部１２３は、リベット又はボルト・ナット等を用いて、中間層上部１１４の壁部１４５にこの壁部１４５を締め付けた状態で固定されている。したがって、本体ストラップ部１２１に加わる力が確実にソール１１０に伝わる。また、ソール部分（特に中間層上部１１４）が、例えば木やプラスチックなどの硬質材料よりも柔らかい材料（例えば、ＥＶＡ樹脂やコルク）で形成されている場合でも、本体ストラップ部１２１の両端部１２３がソールから外れるということはない。
【００２６】
実施形態１では、中間層１１２を３つの部分（上部１１４、中間部１１６、下部１１５）で構成したが、これら３つの部分を一つの部材で形成してもよいし、上部１１４と中間部１１６を一つの部材で形成してもよいし、中間部１１６と下部１１５を一つの部材で形成してもよい。上部１１４と中間部１１６を一つの部材で形成する場合、開口１４１は上部上面の一部を切り取って形成してもよい。
【実施形態２】
【００２７】
図５は実施形態２の履物２００を示す。図示するように、履物２００は、ソール２１０とストラップ２２０を有する。実施形態２において、ソール２１０は、上層２１１、中間層２１２、下層２１３で構成されている。中間層２１２は、中間層上部２１４と中間層下部２１５で構成されている。
【００２８】
中間層上部２１４には、該中間層上部２１４の上面と下面を貫通する横断面四角形の開口（空所）２４１が形成されており、これにより、中間層上部２１４の左右側面２１７と前後方向に伸びる開口内壁面２４２との間に壁部２４５が形成されている。壁部２４５には、前後方向に所定の間隔をあけて、壁部２４５を貫通する穴２４６が形成されている。このようにして形成された中間層上部２１４と中間層下部２１５は接着材で連結される。
【００２９】
ストラップ２２０は、後ストラップ部２２１と前ストラップ部２２２を有する。前ストラップ部２２２は、ソール２１０の上に載せられた足の前部に掛けられるもので、一つの帯状部材からなり、左右両端が上層２１１と中間層２１２の間に折り込まれ、接着材又は縫製若しくはそれらの両方で固定されている。
【００３０】
後ストラップ部２２１は、足の甲と踵に掛けられるように構成されており、左右両端部２２３が中間層上部２１４に固定されている。後ストラップ部２２１をソール２１０に固定する機構２４０は、上述した開口２４２及びそれに関連する構成（壁部２４５，穴２４６）の他に、後ストラップ部２２１の左右両端部２２３に形成された穴２４７を備えている。したがって、後ストラップ部２２１は、穴２４７と壁部２４５の穴２４６に例えばリベットボディの軸部を挿入し、専用のリベッターを使って、図４に示すように、リベットの皿状変形部とフランジで後ストラップ部２２１を壁部２４５に強く締め付けた状態で、中間層下部２１５に連結される。
【００３１】
後ストラップ部２２１の取り付けは、中間層下部２１５に中間層上部２１４を取り付ける前又は後のいずれの時点で行ってもよい。
【００３２】
図９（ｂ）を参照して後に説明するように、中間層上部２１４の開口２４１は、中間層上部２１４と同じ材料又は異なる材料からなる充填部材を充填してもよい。
【００３３】
上述した実施形態２では、中間層２１２は、中間層上部２１４と中間層下部２１５の２部材で形成したが、単一の部材で構成してもよい。この場合、開口は、中間層の上面と下面を貫通して形成してもよいし、中間層上面又は中間層下面の一部を切り取って形成してもよい。
【実施形態３】
【００３４】
図６は実施形態３の履物３００を示す。図示するように、履物３００は、ソール３１０とストラップ３２０を有する。実施形態３において、ソール３１０は、上層３１１、中間層３１２、下層３１３で構成されている。中間層３１２は、中間層上部３１４と中間層下部３１５で構成されている。
【００３５】
中間層上部３１４には、該中間層上部３１４の上面と下面を貫通する横断面四角形の開口（空所）３４１が形成されており、これにより、中間層上部３１４の左右側面３１７と前後方向に伸びる開口内壁面３４２との間に壁部３４５が形成されている。壁部３４５には、前後方向に所定の間隔をあけて、壁部３４５を貫通する穴３４６が形成されている。このようにして形成された中間層上部３１４と中間層下部３１５は接着材で連結される。
【００３６】
ストラップ３２０は、後ストラップ部３２１と前ストラップ部３２２を有する。前ストラップ部３２２は、ソール３１０の上に載せられた足の前部に掛けられるもので、一つの帯状部材からなり、左右両端が上層３１１と中間層３１２の間に折り込まれ、接着材又は縫製若しくはそれらの両方で固定されている。
【００３７】
後ストラップ部３２１は、足の甲と踵に掛けられるように構成されており、左右両端部３２３が中間層下部３１５に固定されている。後ストラップ部３２１をソール３１０に固定する機構３４０は、上述した開口３４２及びそれに関連する構成（壁部３４５，穴３４６）の他に、後ストラップ部３２１の左右両端部３２３に形成された穴３４７を備えている。したがって、後ストラップ部３２１は、穴３４７と壁部３４５の穴３４６に例えばリベットボディの軸部を挿入し、専用のリベッターを使って、図４に示すように、リベットの皿状変形部とフランジで後ストラップ部３２１を壁部３４５に強く締め付けた状態で、中間層下部３１５に連結される。
【００３８】
後ストラップ部３２１の取り付けは、中間層下部３１５に中間層上部３１４を取り付ける前又は後のいずれの時点で行ってもよい。
【００３９】
図９（ｂ）を参照して後に説明するように、中間層下部３１５の開口３４１は、中間層下部３１５と同じ材料又は異なる材料からなる充填部材を充填してもよい。
【００４０】
上述した実施形態３では、中間層３１２は、中間層上部３１４と中間層下部３１５の２部材で形成したが、単一の部材で構成してもよい。この場合、開口は、中間層の上面と下面を貫通して形成してもよいし、中間層上面又は中間層下面の一部を切り取って形成してもよい。
【実施形態４】
【００４１】
図７は実施形態４の履物４００を示す。図示するように、履物４００は、ソール４１０とストラップ４２０を有する。実施形態４において、ソール４１０は、上層４１１、中間層４１２、下層４１３で構成されている。中間層４１２は、中間層上部４１４と中間層下部４１５で構成されている。
【００４２】
中間層上部４１４の後部には、該中間層上部４１４の上面と下面を貫通する横断面四角形の開口（空所）４４１ａが形成されており、これにより、中間層上部４１４の左右側面４１７と前後方向に伸びる開口内壁面４４２ａとの間に壁部４４５ａが形成されている。壁部４４５ａには、前後方向に所定の間隔をあけて、壁部４４５ａを貫通する穴４４６ａが形成されている。
【００４３】
中間層上部４１４の前部には、該中間層上部４１４の上面と下面を貫通する横断面四角形の開口（空所）４４１ｂが形成されており、これにより、中間層上部４１４ｂの左右側面４１７と前後方向に伸びる開口内壁面４４２ｂとの間に壁部４４５ｂが形成されている。壁部４４５ｂには、前後方向に所定の間隔をあけて、壁部４４５ｂを貫通する穴４４６ｂが形成されている。
【００４４】
このようにして形成された中間層上部４１４と中間層下部４１５は接着材で連結される。
【００４５】
ストラップ４２０は、後ストラップ部４２１と前ストラップ部４２２を有する。
【００４６】
後ストラップ部４２１は、足の甲と踵に掛けられるように構成されており、左右両端部４２３ａが中間層下部４１５に固定されている。後ストラップ部４２１をソール４１０に固定する機構４４０ａは、上述した開口４４２ａ及びそれに関連する構成（壁部４４５ａ，穴４４６ａ）の他に、後ストラップ部４２１の左右両端部４２３ａに形成された穴４４７ａを備えている。したがって、後ストラップ部４２１は、穴４４７ａと壁部４４５ａの穴４４６ａに例えばリベットボディの軸部を挿入し、専用のリベッターを使って、図４に示すように、リベットの皿状変形部とフランジで後ストラップ部４２１を壁部４４５ａに強く締め付けた状態で、中間層下部４１５に連結される。
【００４７】
前ストラップ部４２２は、ソール４１０の上に載せられた足の前部に掛けられるように構成されており、左右両端部４２３ｂが中間層下部４１５に固定されている。前ストラップ部４２２をソール４１０に固定する機構４４０ｂは、上述した開口４４２ｂ及びそれに関連する構成（壁部４４５ｂ，穴４４６ｂ）の他に、前ストラップ部４２２の左右両端部４２３ｂに形成された穴４４７ｂを備えている。したがって、前ストラップ部４２２は、穴４４７ｂと壁部４４５ｂの穴４４６ｂに例えばリベットボディの軸部を挿入し、専用のリベッターを使って、図４に示すように、リベットの皿状変形部とフランジで前ストラップ部４２２を壁部４４５ｂに強く締め付けた状態で、中間層下部４１５に連結される。
【００４８】
後ストラップ部４２１と前ストラップ部４２２の取り付けは、中間層下部４１５に中間層上部４１４を取り付ける前又は後のいずれの時点で行ってもよい。
【００４９】
図９（ｂ）を参照して後に説明するように、中間層下部４１５の開口４４１ａ、４４１ｂは、中間層下部４１５と同じ材料又は異なる材料からなる充填部材を充填してもよい。
【００５０】
上述した実施形態４では、中間層４１２は、中間層上部４１４と中間層下部４１５の２部材で形成したが、単一の部材で構成してもよい。この場合、開口は、中間層の上面と下面を貫通して形成してもよいし、中間層上面又は中間層下面の一部を切り取って形成してもよい。
【実施形態５】
【００５１】
図８は実施形態５の履物５００を示す。図示するように、履物５００は、ソール５１０とストラップ５２０を有する。実施形態５において、ソール５１０は、上層５１１、中間層５１２、下層５１３で構成されている。中間層５１２は、中間層上部５１４、中間層下部５１５、中間層中間部５１６で構成されている。
【００５２】
中間層中間部５１６のソール後部に対応する部分には、該中間層中間部５１６の上面と下面を貫通する横断面四角形の開口（空所）５４１ａが形成されており、これにより、中間層中間部５１４の左右側面５１７ａと前後方向に伸びる開口内壁面５４２ａとの間に壁部５４５ａが形成されている。壁部５４５ａには、前後方向に所定の間隔をあけて、壁部５４５ａを貫通する穴５４６ａが形成されている。
【００５３】
中間層上部５１４の前部には、該中間層上部５１４の上面と下面を貫通する横断面四角形の開口（空所）５４１ｂが形成されており、これにより、中間層上部５１４ｂの左右側面５１７ｂと前後方向に伸びる開口内壁面５４２ｂとの間に壁部５４５ｂが形成されている。壁部５４５ｂには、前後方向に所定の間隔をあけて、壁部５４５ｂを貫通する穴５４６ｂが形成されている。
【００５４】
このようにして形成された中間層上部５１４、中間層中間部５１６，中間層下部５１５は接着材で連結される。
【００５５】
ストラップ５２０は、後ストラップ部５２１と前ストラップ部５２２を有する。
【００５６】
後ストラップ部５２１は、足の甲と踵に掛けられるように構成されており、左右両端部５２３ａが中間層中間部５１６に固定されている。後ストラップ部５２１をソール５１０に固定する機構５４０ａは、上述した開口５４２ａ及びそれに関連する構成（壁部５４５ａ，穴５４６ａ）の他に、後ストラップ部５２１の左右両端部５２３ａに形成された穴５４７ａを備えている。したがって、後ストラップ部５２１は、穴５４７ａと壁部５４５ａの穴５４６ａに例えばリベットボディの軸部を挿入し、専用のリベッターを使って、図４に示すように、リベットの皿状変形部とフランジで後ストラップ部５２１を壁部５４５ａに強く締め付けた状態で、中間層下部５１５に連結される。
【００５７】
前ストラップ部５２２は、ソール５１０の上に載せられた足の前部に掛けられるように構成されており、左右両端部５２３ｂが中間層上部５１４に固定されている。前ストラップ部５２２をソール５１０に固定する機構５４０ｂは、上述した開口５４２ｂ及びそれに関連する構成（壁部５４５ｂ，穴５４６ｂ）の他に、前ストラップ部５２２の左右両端部５２３ｂに形成された穴５４７ｂを備えている。したがって、前ストラップ部５２２は、穴５４７ｂと壁部５４５ｂの穴５４６ｂに例えばリベットボディの軸部を挿入し、専用のリベッターを使って、図４に示すように、リベットの皿状変形部とフランジで前ストラップ部５２２を壁部５４５ｂに強く締め付けた状態で、中間層上部５１４に連結される。
【００５８】
後ストラップ部５２１の取り付けは、中間層中間部５１６を中間層上部５１４又は中間層下部５１５に取り付ける前又は後のいずれの時点で行ってもよい。前ストラップ部５２１の取り付けは、中間層上部５１４を上層５１１又は中間層中間部５１６に取り付ける前又は後のいずれの時点で行ってもよい。
【００５９】
図９（ｂ）を参照して後に説明するように、中間層中間部５１５の開口４４１ａと中間層上部５１４の開口４４１ｂは、それらを構成する材料と同じ材料又は異なる材料からなる充填部材を充填してもよい。
【００６０】
上述した実施形態５は、中間層５１２は、中間層上部５１４、中間層中間部５１６，及び中間層下部５１５の３部材で形成したが、中間層下部を中間層中間部に一体化して、中間層上部と中間層中間部の２つの部材で構成してもよい。また、開口はそれが形成されている部材の上面と下面を貫通して形成してもよいし、上面又は下面の一部を切り取って形成してもよい。
【実施形態６】
【００６１】
図９は実施形態６の履物６００を示す。図示するように、履物６００は、ソール６１０とストラップ６２０を有する。実施形態６において、ソール６１０は、上層６１１、中間層６１２、下層６１３で構成されている。中間層６１２は、中間層上部６１４、中間層下部６１５で構成されている。
【００６２】
中間層上部６１４の前部には、該中間層上部６１４の上面と下面を貫通する横断面四角形の開口（空所）６４１が形成されており、これにより、中間層上部６１４の左右側面６１７と前後方向に伸びる開口内壁面６４２との間に壁部６４５が形成されている。壁部６４５には、前後方向に所定の間隔をあけて、壁部６４５を貫通する穴６４６が形成されている。
【００６３】
このようにして形成された中間層上部６１４と中間層下部６１５は接着材で連結される。
【００６４】
ストラップ６２０は、ソール６１０の上に載せられた足の前部に掛けられるように構成されており、左右両端部６２３が中間層上部６１４に固定されている。ストラップ６２０をソール６１０に固定する機構６４０は、上述した開口６４２及びそれに関連する構成（壁部６４５，穴６４６）の他に、ストラップ６２０の左右両端部６２３に形成された穴６４７を備えている。したがって、ストラップ６２０は、穴６４７と壁部６４５の穴６４６に例えばリベットボディの軸部を挿入し、専用のリベッターを使って、図４に示すように、リベットの皿状変形部とフランジで前ストラップ部６２２を壁部６４５に強く締め付けた状態で、中間層上部６１４に連結される。
【００６５】
中間層上部６１４の開口６４１は、中間層上部６１４と同じ材料又は異なる材料からなる充填部材６５１を充填してもよい。
【その他の実施形態】
【００６６】
以上の実施形態では、ストラップの左右端部を露出させているが、図１０に示すように、ストラップ７２０を下層７２１ｂと上層７２１ａを備えた複数層で構成し、下層７２１ｂにのみ穴７４７を形成してそこに留め具（例えばリベット）を取り付け、その留め具を上層７２１ｂで覆い隠しても良い。この実施形態では、上層７２１ａは下層７２１ｂに対して、接着材で固定してもよいし、縫い付けてもよいし、接着と縫製を併用してもよい。
【００６７】
また、図１１に示すように、ソールの側面に載るストラップ端部７２３は適当な装飾材料７６０（例えば、布）で覆い隠してもよい。この場合、図示するように、ソール側面７１３にはストラップ端部に対応する浅い窪み７６１を形成し、そこにストラップ端部７２３を収容し、装飾材料７６０に皺などが表れないようにすることが好ましい。
【００６８】
以上の説明では、ソールを３層（上層、中間層、下層）で構成したが、少なくとも２層（上層と中間層、又は上層と下層）で構成し、中間層又は下層に空所を形成してもよい。
【符号の説明】
【００６９】
１００、２００：履物
１１０：ソール
１１１：上層
１１２：中間層
１１３：下層
１１４：中間層上部
１１５：中間層下部
１１６：中間層中間部
１１７：ソール側面
１２０：ストラップ
１２１：本体ストラップ部
１２２：前ストラップ部
１２３：両端部
１３０：前穴
１３１〜１３３：穴
１３４：切り込み
１３５：舌片部
１４０：ストラップ連結機構
１４１：開口（空所）
１４２：内壁面
１４３：内壁面
１４４：外周側面
１４５：壁部
１４６：穴
１４７：穴
１５０：ブラインドリベット
１５１：リベットボディ
１５２：軸部
１５３：マンドレル（シャフト）
１５５：皿状変形部（拡大頭部）
１５６：フランジ（拡大頭部）
【図１】
2018099145.tif 000003
【図２】
2018099145.tif 000004
【図３】
2018099145.tif 000005
【図４】
2018099145.tif 000006
【図５】
2018099145.tif 000007
【図６】
2018099145.tif 000008
【図７】
2018099145.tif 000009
【図８】
2018099145.tif 000010
【図９】
2018099145.tif 000011
【図１０】
2018099145.tif 000012
【図１１】
2018099145.tif 000013